(57)【要約】【課題】部材点数が少なくコンパクトでスリム化した構成の水切り金物を使用することにより、パラペットの張り出し部に配筋をする必要がなく、水切り用溝およびパネル受け用溝を形成する必要がないなど、施工性がよく経済的で、景観性に非常に優れたパラペットの防水構造を提供する。【解決手段】水切り金物４は、パラペット１の側面１ｂに当接する立ち上がり部４ａと、同立ち上がり部４ａから外方へ下り傾斜の傾斜部４ｂと、傾斜部４ｂから垂れ下がり前記外装板３の上端部を保持する断面が下向きにコ字形の受け板部４ｃとから成り、前記立ち上がり部４ａがパラペット１の側面１ｂにビス５等の締結具５により固定され、前記水切り金物４の受け板部４ｃに、スラブ上に立てた外装板３の上端部が嵌め込まれ保持され、前記パラペット１の張り出し部１ａと水切り金物４との間の目地部は、シール材６で防水処理されている。【選択図】図１
2007231659.tif 000002
【特許請求の範囲】
【請求項１】
パラペットの張り出し部の下顎部に水切り金物を設置し、防水層を保護する外装板の上端部を前記水切り金物で保持して成るパラペットの防水構造であって、
前記水切り金物は、パラペットの側面に当接する立ち上がり部と、同立ち上がり部から外方へ下り傾斜の傾斜部と、傾斜部から垂れ下がり前記外装板の上端部を保持する断面が下向きにコ字形の受け板部とから成り、前記立ち上がり部がパラペットの側面にビス等の締結具により固定されていること、
前記水切り金物の受け板部に、スラブ上に立てた外装板の上端部が嵌め込まれ保持されていること、
前記パラペットの張り出し部と水切り金物との間の目地部は、シール材で防水処理されていることを特徴とする、パラペットの防水構造。
【請求項２】
パラペットの張り出し部、水切り金物、及びシール材のそれぞれの外側面は、ほぼ面一とされていることを特徴とする、請求項１に記載したパラペットの防水構造。
【請求項３】
パラペットの張り出し量と、水切り金物及びシール材の幅はそれぞれ、６０ｍｍ程度とされていることを特徴とする、請求項１又は２に記載したパラペットの防水構造。
【請求項４】
パラペットの張り出し部と水切り金物との間の目地部は、奥側から外方へ向かって止水シールと仕上げシールが順に施され、止水シールと仕上げシールとの間には、発泡材等のバックアップ材が介在されていることを特徴とする、請求項１〜３のいずれか一に記載したパラペットの防水構造。
【請求項５】
隣接する水切り金物の端部同士は、水切り金物の裏面にスライド可能に嵌め込まれた裏当材により連結されていることを特徴とする、請求項１〜４のいずれか一に記載したパラペットの防水構造。
【発明の詳細な説明】
【技術分野】
【０００１】
この発明は、建物の屋上に立ち上がるパラペットの防水構造の技術分野に属する。
【背景技術】
【０００２】
一般に、建物の屋上にはアスファルト等により防水層が形成され、この防水層の上面には押えコンクリートが打設されている。そして、防水層の端部は露出した状態で、パラペットに沿って立ち上がるように施工されている。
【０００３】
そこで、前記防水層端部の劣化、損傷を防止して止水品質を確保するべく、防水層端部の納まりに工夫を施した技術が種々開示され、実施されている（図７、図８参照）。
【０００４】
図７は、パラペットのコンクリート躯体ａの上部に張り出し部（顎部）ｂを形成し、その下面に保護板（外装板）ｃの上端部を取り付けて防水層端部ｄを保護する技術を示している。図８は、防水層端部ｄに沿わせて保護コンクリートｅを打設し、パラペットａの上端面に笠木ｆを取り付けて防水層端部ｄを保護する技術を示している。
【０００５】
しかし、前者は、パラペット躯体はもとより張り出し部ｂにも配筋をする必要があり、また、張り出し部ｂの下面に水切り用溝ｇおよびパネル受け用溝ｈを形成しなければならないなど、型枠工事やコンクリート打設工事が非常に面倒で熟練工の手を必要とする場合があり、工期が長期化し、経済的でないという問題があった。また、後者は、防水層端部ｄの保護層が湿式工法となり、コンクリート打設工事のほか倒れ防止のための配筋やモルタル仕上げｉが必要で、施工性が悪いことに加えて防水層端部ｄの保守点検が困難であるという問題があった。
【０００６】
近年、上記問題に鑑み、水切り金物を使用したパラペットの防水構造に係る技術が開示されている（例えば、特許文献１参照）。
【０００７】
この特許文献１に係る技術は、同文献１の図１に示したように、パラペット用型枠に取り付けられ一端側を開口させて当該パラペット１に埋設させる支持手段２と、該支持手段２へ連結部材４によって連結される水切り金物５と、水切り金物５の下端部で保持されてスラブに立設される保護板（外装板）７とで構成されている。
【０００８】
この特許文献１に係る技術によると、保護板７の上端部を嵌め込んで保持する水切り金物５を使用することにより、図７に示したような、水切り用溝ｇおよびパネル受け用溝ｈを形成する手間が省力化される。また、図８に示したような、保護コンクリートｅを打設する必要もなく、モルタル仕上げｉも不要となる。
【０００９】
【特許文献１】特開２００３−２７８３３９号公報
【発明の開示】
【発明が解決しようとする課題】
【００１０】
しかし、上記特許文献１に係る技術は、前記支持手段２として使用する樹脂ホルダー２を予めパラペット用の型枠の内側に先付けしてコンクリートを打設する必要があるので、型枠工事やコンクリート打設工事が非常に面倒である。また、その構造が複雑な樹脂ホルダー２のほか、帯状の弾性部材３や連結部材４、水切り金物５、止水部材６を必須の構成要素とするなど部材点数が多く、取付作業が面倒で、経済的でなかった。さらに、水切り金物５の立ち上がり部５ａや傾斜部５ｂ、及び連結部材４の取っ手４ｃ等が外部に露出しているので看者に煩雑な印象を与え、景観性が損なわれていた。
【００１１】
ところで、パラペットの張り出し部の張り出し量は、従来、レンガとモルタルで防水層の保護層を形成していた名残りから、１２０ｍｍ程度で実施するのが通例となっている。しかしながら、建築学会、標準仕様によると、前記張り出し量が１００ｍｍ未満であれば当該張り出し部に配筋を行う必要はなく、壁筋のみ配筋すれば施工することができる。
【００１２】
本発明の目的は、部材点数が少なくコンパクトでスリム化した構成の水切り金物を使用することにより、パラペットの張り出し部に配筋をする必要がなく、水切り用溝およびパネル受け用溝を形成する必要がないなど、施工性がよく経済的で、景観性に非常に優れたパラペットの防水構造を提供することにある。
【課題を解決するための手段】
【００１３】
上記課題を解決するための手段として、請求項１に記載した発明に係るパラペットの防水構造は、図１に示したように、パラペット１の張り出し部１ａの下顎部に水切り金物４を設置し、防水層２を保護する外装板３の上端部を前記水切り金物４で保持して成るパラペット１の防水構造であって、前記水切り金物４は、パラペット１の側面１ｂに当接する立ち上がり部４ａと、同立ち上がり部４ａから外方へ下り傾斜の傾斜部４ｂと、傾斜部４ｂから垂れ下がり前記外装板３の上端部を保持する断面が下向きにコ字形の受け板部４ｃとから成り、前記立ち上がり部４ａがパラペット１の側面１ｂにビス５等の締結具５により固定されていること、前記水切り金物４の受け板部４ｃに、スラブ上に立てた外装板３の上端部が嵌め込まれ保持されていること、前記パラペット１の張り出し部１ａと水切り金物４との間の目地部は、シール材６で防水処理されていることを特徴とする。
【００１４】
請求項２に記載した発明は、請求項１に記載した発明に係るパラペットの防水構造において、図１に示したように、パラペット１の張り出し部１ａ、水切り金物４、及びシール材６のそれぞれの外側面は、ほぼ面一とされていることを特徴とする。
【００１５】
請求項３に記載した発明は、請求項１又は２に記載した発明に係るパラペットの防水構造において、パラペット１の張り出し量Ｈと、水切り金物４及びシール材６の幅Ｈはそれぞれ、６０ｍｍ程度とされていることを特徴とする。
【００１６】
請求項４に記載した発明は、請求項１〜３のいずれか一に記載した発明に係るパラペットの防水構造において、図１に示したように、パラペット１の張り出し部１ｂと水切り金物４との間の目地部は、奥側から外方へ向かって止水シール６ａと仕上げシール６ｃが順に施され、止水シール６ａと仕上げシール６ｃとの間には、発泡材６ｂ等のバックアップ材６ｂが介在されていることを特徴とする。
【００１７】
請求項５に記載した発明は、請求項１〜４のいずれか一に記載した発明に係るパラペットの防水構造において、図２と図３に示したように、隣接する水切り金物４、４の端部同士は、水切り金物４、４の裏面にスライド可能に嵌め込まれた裏当材１２により連結されていることを特徴とする。
【発明の効果】
【００１８】
請求項１に記載した発明に係るパラペットの防水構造によれば、主に、シンプルな構成の水切り金物４と、シール材６で防水構造を実現することができるので、部材点数が少なく、パラペット１の張り出し部１ａの下面に水切り用溝およびパネル受け用溝を形成する必要がないなど、施工性がよく経済的である。
請求項２に記載した発明に係るパラペットの防水構造によれば、上記した効果に加え、外観をフラットに仕上げることができ、看者に軽快感を与え、景観性に優れている。
請求項３に記載した発明に係るパラペットの防水構造によれば、上記した効果に加え、
全体的にスリム化でき、屋上空間の有効利用を図ることができる。また、張り出し量Ｈが１００ｍｍ未満なので、建築学会、標準仕様に基づき、当該張り出し部１ａに配筋を行う必要がなく、壁筋のみ配筋すれば施工可能であり、よって、型枠工事及びコンクリート打設工事に要する費用を大幅にコストダウンすることができる。これに伴い、産業廃棄物を低減することができ、地球にやさしい防水構造を実現することができる。
請求項４に記載した発明に係るパラペットの防水構造によれば、上記した効果に加え、所謂二重シール構造により、止水シール６ａの経年劣化を防止することができ、止水シール６ａ、ひいては防水層（端部）２の内側への浸水を恒久的に防止することができる。
請求項５に記載した発明に係るパラペットの防水構造によれば、上記した効果に加え、隣接する水切り金物４、４の端部同士の隙間から万一雨水が侵入した場合であっても、裏当材１２によりガードすることができ、防水層（端部）２の内側への浸水を恒久的に
防止することができる。よって、近年、要求される住宅建物の耐用年数（３１〜５０年）を十分に全うすることができるのである。
【発明を実施するための最良の形態】
【００１９】
本発明に係るパラペットの防水構造は、上述した発明の効果を奏するべく、以下のように実施される。
【００２０】
図１は、請求項１に記載した発明に係るパラペットの防水構造の実施例を示している。
この防水構造は、パラペット１の張り出し部１ａの下顎部に水切り金物４を設置し、防水層２を保護する外装板３の上端部を前記水切り金物４で保持して成るパラペット１の防水構造であり、前記水切り金物４は、パラペット１の側面１ｂに当接する立ち上がり部４ａと、同立ち上がり部４ａから外方へ下り傾斜の傾斜部４ｂと、傾斜部４ｂから垂れ下がり前記外装板３の上端部を保持する断面が下向きにコ字形の受け板部４ｃとから成り、前記立ち上がり部４ａがパラペット１の側面１ｂにビス５等の締結具５により固定されている。前記水切り金物４の受け板部４ｃに、スラブ上に立てた外装板３の上端部が嵌め込まれ保持されている。前記パラペット１の張り出し部１ｂと水切り金物４との間の目地部は、シール材６で防水処理されている（請求項１記載の発明）。
【００２１】
ちなみに、前記外装板３は、スラブ上面に外装板を嵌め込むレール（図示省略）を敷設する等して立てられている。前記防水層（の端部）２は、パラペット１に沿って立ち上げられ、その上端部を、アングル材等の押え金物９を利用してビス１０等の締結具１０により取付固定されている。そして、前記防水層２及び押え金物９の天端面にコーチング材１１がやや盛り上がる程度に塗布され、押え金物９の天端から雨水の浸入を防止する構造で実施されている。
【００２２】
前記水切り金物４は、その立ち上がり部４ａの天端面を前記パラペット１の張り出し部１ａの下面に当接させて同下面に沿って水平方向に配設されている。この実施例に係る水切り金物４は、アルミニウム製で、前記立ち上がり部４ａと傾斜部４ｂと受け板部４ｃとを押し出し成形により一体成形して実施されている。また、この水切り金物４は、２０００〜３０００ｍｍ程度の定尺物を水平方向に複数連結して実施しているが、その長さは特に限定されるものではなく、コーナー部に使用する場合は短尺物を使用するなど、設置部位に応じて適宜増減して適用される。
【００２３】
図示例に係る前記水切り金物４の立ち上がり部４ａは、その天端部を若干幅厚に形成した平板状で実施し、水平方向には所要の間隔でビス等の締結具５を通す通し孔（図示省略）が穿設されている。前記傾斜部４ｂは、前記立ち上がり部４ａの下端から外方へ水平面に対して水切りに好適な角度（図示例では１５度程度）で下り傾斜して設けている。前記受け板部４ｃは、前記傾斜部４ｂの中間部から外方へ下り傾斜して途中から屈曲して鉛直方向に垂れ下がる受け板４ｃと、先端部から鉛直方向に垂れ下がる受け板４ｃとの２枚の受け板とからなり、それらの下部は、前記外装板３の上端部を保持するべく互いに向き合うようにほぼ平行に成形されている。また、前記２枚の受け板４ｃ、４ｃの下端はそれぞれ、外装板３を保持する掛止部７、８が成形されている。ちなみに、掛止部８は、後述する裏当板１２を保持できるように、Ｌ字形の折り返し部が成形されている。
【００２４】
なお、前記水切り金物４の形状は、図示例に限定されるものではなく、パラペット１の側面１ｂに当接する立ち上がり部４ａと、水切りに好適な角度に下り傾斜した傾斜部４ｂと、前記外装板３の上端部を保持し得る受け板部４ｃとを有していることを条件に、特に限定されるものではない。
【００２５】
したがって、上記構成のパラペット１の防水構造によれば、主に、シンプルな構成の水切り金物４と、シール材６で防水構造を実現することができるので、部材点数が少なく、パラペット１の張り出し部１ａの下面に水切り用溝およびパネル受け用溝を形成する必要がないなど、施工性がよく経済的である。
【００２６】
また、前記シール材６で防水処理する手法は種々あるが、本実施例では、前記締結具５の表面側に先ず、止水シール６ａを施し、止水シール６ａに発泡材６ｂ等のバックアップ材６ｂを裏当てした後に仕上げシール６ｃを施すことにより、前記パラペット１の張り出し部１ａと水切り金物４との間の目地部を防水処理している（請求項４記載の発明）。
【００２７】
前記防水処理を止水シール６ａと仕上げシール６ｃとの２段階に分けて防水処理する意義は、ただ単にシール材を充填しただけでは、シール材の表面が大気中に露出しているため、風雨や日光に晒されて紫外線やオゾンの影響を受けて経年劣化が進み、やがてシール材の体積収縮やひび割れが発生し、１０年程度で水密性が失われ、雨水が浸透し、防水機能が著しく消失することを未然に防ぐためである。本実施例により、仕上げシール６ｃが経年劣化して雨水が万一侵入してきた場合には、バックアップ材６ｂにより下方へ排水することができ、止水シール６ａ、ひいては防水層（端部）２の内側への浸水を恒久的に防止することができる。ちなみに、本実施例に係るバックアップ材６ｂの下面には、前記止水シール６ａと仕上げシール６ｃとを接合する繋ぎシール材６ｄを充填して実施している。ちなみに、前記バックアップ材６は、透水性を有していればどのような材質のものであっても実施可能である。
【００２８】
また、本実施例に係るパラペット１の張り出し部１ａ、水切り金物４、及びシール材６（仕上げシール６ｃ）のそれぞれの外側面は、ほぼ面一とされている（請求項２記載の発明）。これにより、パラペット１の防水構造の外観をフラットに仕上げることができ、看者に軽快感を与え、景観性に優れている。
【００２９】
さらに、パラペット１の張り出し量Ｈと、水切り金物４及びシール材６（仕上げシール６ｃ）の幅Ｈはそれぞれ、６０ｍｍ程度で実施されている（請求項３記載の発明）。これにより、従来、１２０ｍｍ程度突設した張り出し部１ｂをスリム化でき、屋上空間の有効利用を図ることができる。また、張り出し量Ｈを１００ｍｍ未満で実施できるので、建築学会、標準仕様に基づき、当該張り出し部１ａに配筋を行う必要がなく、壁筋のみ配筋すれば施工可能である。よって、型枠工事及びコンクリート打設工事に要する費用を大幅にコストダウンすることができる。
【００３０】
また、図２と図３に示したように、隣接する水切り金物４、４の端部同士は、水切り金物４の裏面にスライド可能に嵌め込まれた裏当て材１２により連結されている（請求項５記載の発明）。図示例に係る裏当て材１２は、長さが１２０ｍｍ程度で実施され、隣接する水切り金物４、４の端部同士にほぼ均等に跨るように配置されて実施されている。この裏当て材１２により、隣接する水切り金物４、４の端部同士の隙間から万一雨水が侵入した場合であっても、裏当材１２によりガードすることができ、防水層（端部）２の内側への浸水を恒久的に防止することができる。
【００３１】
以上に実施例を図面に基づいて説明したが、本発明は、図示例の実施例の限りではなく、その技術的思想を逸脱しない範囲において、当業者が通常に行う設計変更、応用のバリエーションの範囲を含むことを念のために言及する。例えば、パラペット１のコーナー部は、図４に示したような形状の水切り金物４’及び裏当て材１２’を使用して隙間なく接続して実施している。また、隣接する外装板３と外装板３との間には、止水性を確保するべく、図５に示したように、鉛直方向のＨ形鋼材１３を介在させてその端部同士をＨ形鋼材１３のウエブ部に当接させて実施している。さらに、この防水構造は、パラペット１に実施するほか、図６に示したように、同一の符号を付してその説明を省略するが、バルコニーやベランダの窓周りの立ち上がり部にも応用して適用することができる。
【図面の簡単な説明】
【００３２】
【図１】本発明に係るパラペットの防水構造の枢要部を示した立断面図である。
【図２】本発明に係るパラペットの防水構造の端部構造を示した立断面図である。
【図３】本発明に係るパラペットの防水構造の端部構造を示した斜視図である。
【図４】本発明に係るパラペットの防水構造のコーナー部の実施例を示した斜視図である。
【図５】本発明に係るパラペットの防水構造に使用する外装板の端部構造を示した平面図である。
【図６】本発明に係る防水構造のバリエーションを示した斜視図である。
【図７】従来技術に係るパラペットの防水構造の枢要部を示した立断面図である。
【図８】従来技術に係るパラペットの防水構造の枢要部を示した立断面図である。
【符号の説明】
【００３３】
１      パラペット
１ａ    張り出し部（顎部）
２      防水層
３      外装板
４      水切り金物
４ａ    立ち上がり部
４ｂ    傾斜部
４ｃ    受け板部
５      ビス（締結具）
６      シール材
６ａ    止水シール
６ｂ    発泡材（バックアップ材）
６ｃ    仕上げシール
７、８  受け板部の下端部
９      押さ金物
１０      ビス（締結具）
１１      コーチング材
１２      裏当材
１３      Ｈ形鋼材
【図１】
2007231659.tif 000003
【図２】
2007231659.tif 000004
【図３】
2007231659.tif 000005
【図４】
2007231659.tif 000006
【図５】
2007231659.tif 000007
【図６】
2007231659.tif 000008
【図７】
2007231659.tif 000009
【図８】
2007231659.tif 000010